(57)【要約】【課題】バインダーより大きな用紙を小型のバインダーに綴込むことができるように、バインダーに収まる大きさにきれいに折畳めるガイドプレートを提供する。【解決手段】自立性を有する重ね合された２枚の平板１，２を有する。この２枚の平板１，２の底辺３と一側辺４を閉じると共に上辺５，６と他側辺７，８を開放状態にする。上記１枚の平板１は、一側辺４から他側辺７に至る横幅を、バインダーに綴る綴込用紙の記載区帯の幅と、綴穴を設けた綴穴用区帯の幅を加えた幅のものに形成する。この１枚の平板１の他側辺７側を綴孔形成部１４として綴孔１３を設ける。一方、他の１枚の平板２は、その横幅を上記１枚の平板１の綴孔１３を覆わない幅に形成して、バインダー用のホルダー兼用折畳みガイドプレート１０とする。バインダーよりも大きな用紙を平板１，２間に差入れ、平板１の他側辺７を基準に折り曲げ、残った部分を半分に折り曲げる。【選択図】図１
2015208901.tif 000002
【特許請求の範囲】
【請求項１】
自立性を有する重ね合された２枚の平板を有し、該２枚の平板の底辺と一側辺を閉じると共に上辺と他側辺を開放し、大きな用紙を折り曲げて小さなバインダーに綴り込めるように上記１枚の平板は一側辺から他側辺に至る横幅をバインダーに綴る綴込用紙の記載区帯の幅と綴穴を設けた綴穴用区帯の幅を加えたものに形成し、該１枚の平板の他側辺側を綴孔形成部として綴孔を設け、他の１枚の平板の横幅を上記１枚の平板の綴孔を設けた綴孔形成部を覆うことがない幅に形成しているバインダー用のホルダー兼用折畳みガイドプレート。
【請求項２】
上記他の１枚の平板の横幅が上記大きな用紙を三つ折りしたときの幅に形成されている請求項１に記載のバインダー用のホルダー兼用折畳みガイドプレート。
【請求項３】
上記２枚の平板の底辺から上辺に至る高さは、上記バインダーの綴込用紙の高さと同じに形成されている請求項１または２に記載のバインダー用のホルダー兼用折畳みガイドプレート。
【請求項４】
上記２枚の平板の底辺から上辺に至る高さは、上記１枚の平板を上記バインダーの綴込用紙の高さと同じに形成し、上記他の１枚の平板を上記１枚の平板よりも低く形成している請求項１または２に記載のバインダー用のホルダー兼用折畳みガイドプレート。
【請求項５】
上記２枚の平板は、三つ折りした大きな用紙を上記綴孔形成部の綴孔を塞ぐことなく丁度収納できる形状に形成されている請求項２〜４のいずれかに記載のバインダー用のホルダー兼用折畳みガイドプレート。
【請求項６】
上記２枚の平板は、透明性のプラスチックシートで形成されている請求項１〜５のいずれかに記載のバインダー用のホルダー兼用折畳みガイドプレート。
【発明の詳細な説明】
【技術分野】
【０００１】
本発明は、バインダーよりも大きな用紙をバインダーに綴って納めることができるように折ったり、三つ折りしたり、三つ折りしたものを収納したりすることができるバインダー用のホルダー兼用折畳みガイドプレートに関する。
【背景技術】
【０００２】
従来、長方形をしているＡ４判やＢ５判などの用紙の長辺を１／３程度の大きさにした記載区帯を有する綴込用紙を、綴るようにした小型の変形バインダーが知られている。
こうしたバインダーに綴られる綴込用紙は、上記記載区帯とその一側方に綴穴を設けた細幅の綴穴用区帯が延設されており、その区帯分だけ大きく形成されている。
【０００３】
Ａ４判やＢ５判などの長方形の大きな用紙を、上記の如き綴込用紙と同じようにバインダーに綴り込むには、綴穴を設けるための綴穴用区帯を設け、この区帯の邪魔にならないように用紙を折畳んでバインダーに納める大きさにする必要があるが、こうした大きさに正確に折り畳むことは難しい。
【０００４】
また、用紙を２つ折りや４つ折りにすることは、何の道具が無くても半分づつに折ればよいので簡単にできるが、三つ折りする場合には目安となるものがないので、正確に三つ折りすることは難しく、折り畳んだものがその都度異なった大きさになってしまう。そこで、正確に三つ折りする場合には、定規を使って１／３の長さを計測して鉛筆等で目印を付け、その目印に従って折り曲げたりする必要があり、何かと煩雑である。
【０００５】
そうしたことから、用紙を三つ折りにする折幅と略等しい幅を有する一対のプレートを用意し、その側部を回動自在に連結し、この１対のプレートの間に用紙を挟み込んで、プレートの周りに巻回することによって正確に三つ折りしようとするような補助具も提案されている。（特許文献１）
【先行技術文献】
【特許文献】
【０００６】
【特許文献１】特開２００１−１３８６９１号公報
【発明の概要】
【発明が解決しようとする課題】
【０００７】
上記した補助具によれば、用紙を正確に三つ折りすることができるので、上記した小型サイズのバインダー内に収まるように挟み込むことはできるが、バインダーの綴具に綴り込むようなことはできない。
そこで、上記の如きバインダーに綴り込むことができるようにきれいに折り畳むことができ、また、正確に三つ折りすることができると共に、三つ折りしたものを保持しておくことができるようなバインダー用のホルダー兼用の折畳みガイドプレートを得ようとするものである。
【課題を解決するための手段】
【０００８】
本発明は、自立性を有する重ね合された２枚の平板を有するもので、この２枚の平板の底辺と一側辺を閉じると共に上辺と他側辺を開放状態にする。そして、大きな用紙を折り曲げて小さなバインダーに綴り込めるように、上記１枚の平板は一側辺から他側辺に至る横幅をバインダーに綴る綴込用紙の記載区帯の幅と綴穴を設けた綴穴用区帯の幅を加えた幅のものに形成する。そして、この１枚の平板の他側辺側を綴孔形成部として綴孔を設ける。また、他の１枚の平板は、その横幅を上記１枚の平板の綴孔のある綴孔形成部を覆ってしまわない幅に形成して、バインダー用のホルダー兼用折畳みガイドプレートとする。
また、上記２枚の平板の上辺から底辺に至る高さは、上記綴込用紙の高さと同じにするか、一方の平板が少し短くなるように形成する。
【発明の効果】
【０００９】
本発明は、上記したように形成されているので、上記２枚の平板の間に長方形の大きな用紙を挿入し、その短辺が上記一側辺に突き当たった状態で、上記１枚の平板の他側辺によって用紙を折畳み、残りの部分を更に折畳めば、綴穴用区帯を備えて折畳まれた用紙が得られるので、上記綴穴用区帯にパンチ孔を設けることにより、バインダーの綴具に綴り込むことができる。
【００１０】
そして、上記と同様に２枚の平板の間に長方形の用紙を挿入し、その短辺が一側辺に突き当たった状態で、もう一方の平板の他側辺によって用紙を折畳み、その上で更に上記一側辺によって残りの部分を折曲げれば、全体を巻回状の三つ折りに正確に折畳むことができる。また、残りの部分を半分に折り返せば、全体を蛇腹状の三つ折りに正確に折畳むことができる。
【００１１】
さらに、上記２枚の平板の底辺と一側辺は閉じられ、上辺と他側辺が開放されているので、２枚の平板の間に三つ折りされた用紙をすっぽりと差し入れて保持させて置くことができ、バインダーに単に差し挟んだのとは異なり、容易に脱落することがないし、他のメモ類、チケット類なども保持しておくことができる。
【図面の簡単な説明】
【００１２】
【図１】本発明の実施例を示す斜視図である。
【図２】図１に示すものを使用して用紙を折畳む状態を示す説明図である。
【図３】図２に示す次の段階の折畳み状態を示す説明図である。
【図４】図３に示す次の段階の折畳み状態を示す説明図である。
【図５】図４に示す次の段階で折畳んだ用紙を抜き取った状態を示す説明図である。
【図６】折畳んだ用紙に綴穴を設けた状態の説明図である。
【図７】図６に示すものをバインダーに綴った状態を示す説明図である。
【図８】図１に示すものをバインダーに綴り、これに三つ折りした用紙を差入れた状態を示す説明図である。
【図９】本発明の他の実施例を示す正面図である。
【発明を実施するための形態】
【００１３】
本発明における平板１、２は、ポリプロピレン，ポリエチレンその他のプラスチックシート、厚紙、板紙、その他の自立性のあるシートによって形成されており、これを２枚重ね合わせたような状態となるようにして、底辺３及び一側辺４を閉じた状態にし、上辺５、６及び他側辺７、８を開放した状態に形成している。
【００１４】
上記重ね合わせた一方の平板（以下、後板と言うことがある）１は、一側辺４から他側辺７に至る横幅を、バインダー２０に綴る規定の綴込用紙２２の記載区帯２３の幅と綴穴２４を設けた綴穴用区帯２５の幅を加えた幅のものに形成し、その他側辺７側に綴孔１３を設けた綴孔形成部１４を形成している。
【００１５】
これによってバインダー２０よりも大きな用紙１１を折畳むのであるが、こうした用紙としては、Ａ４判、Ｂ５判その他の長方形の用紙があるが、これらに限らず変形判の用紙であってもよい。また、これらの用紙には、無地のもの、罫線，方眼線のような線の引かれているものの他、筆記のためではなく既に印刷済みのものも含まれる。
【００１６】
上記重ね合わせた他方の平板（以下、前板と言うことがある）２は、その一側辺４から他側辺８に至る横幅を、上記後板１に設けられている綴孔１３を有する綴孔形成部１４を覆ってしまわないような幅に形成している。
【００１７】
上記後板１と前板２の底辺３から上辺５，６に至る高さは、上記綴込用紙２２の高さと同じ長さに形成するとよいが、場合によっては、前板２の方だけやや短くして、後板１の上辺５よりも前板２の上辺６が少し下方に位置するようにすることもできる。
【００１８】
図１に示すものでは、一枚の平板を折り曲げて一側辺４を形成し、前板２を下方に延出して形成した延設部１６を後方に折り返し、後板１に溶着、接着などすることによって底辺３を形成している。この後板１と前板２の間に３つ折りした用紙１１を差入れると、丁度その中に納まるようになっている。
【００１９】
こうしたバインダー用のホルダー兼用折畳みガイドプレート１０は、その綴孔１３をバインダー２０の綴具２１に嵌め入れると、バインダーに綴られている上記綴込用紙２２と同じ状態に綴ることができるようになる。（図８）
図７、８に示すものでは、Ａ４判又はＢ５判の１／３の大きさを記載区帯２３とする綴込用紙２２用のバインダーとしており、上記綴込用紙２２はＡ４判又はＢ５判の１／３の大きさの記載区帯２３に、綴穴２４を設けた綴穴用区帯２５の幅だけ横幅が広く形成されている。
上記ガイドプレート１０は、通常、バインダー２０の綴具２１にその綴孔１３を嵌め合わせて綴っておき、バインダー２０と一緒に持運ぶようにするとよい。（図８）
【００２０】
これを使用する場合、上記ガイドプレート１０をバインダー２０から取外し、用紙１１を上記ガイドプレート１０の後板１と前板２の間に差入れ、その短辺１５が上記一側辺４に当接するようする。（図２）
そして、その状態から用紙が動かないようにして、後板１の他側辺７を基準にして用紙を折曲げ（図３）、更に用紙の残りの部分を半分に折り返すと全体が三つ折りにされ（図４）、ガイドプレート１０の綴孔形成部１４の相当する綴穴用区帯２８が形成されたものが得られる。
【００２１】
こうして折畳んだ用紙１１の綴穴用区帯２８に、パンチ具などを使用して綴穴２７を設け（図６）、図において１８０度回転すれば、バインダー２０の綴具２１に綴り込むことができるようになる。こうして綴り込まれたものは、上記既存の綴込用紙２２と同じ大きさとなってバインダー内にきっちり綴られて邪魔にならないし、折畳まれたものを適宜拡げて見たり、書き込んだりすることが自由にできる。（図７）
【００２２】
また、上記と同様に、用紙１１を上記ガイドプレート１０の後板１と前板２との間に差入れ、その短辺１５を上記一側辺４に当接させて用紙を動かないようにしてから、前板２の他側辺８を基準にして用紙１１を折曲げ、更に残りの部分を一側辺４を基準にして折り曲げると、用紙は巻回状にキチンと三つ折りにすることができる。
また、上記用紙の残りの部分を、半分に折り返すと蛇腹状に三つ折りすることができる。
【００２３】
上記ガイドプレート１０の後板１と前板２は、その底辺３と一側辺４が閉じられ、上辺５，６と他側辺７，８は開放されていて、この後板１と前板２の間に上記の三つ折りした用紙を差入れると、中に丁度納まるように収納することができるから、一時的に保持、保管することが確実にできる。また、メモ用紙、チケット類、その他の紙片類も同様に保持しておくことができる。
【００２４】
図９に示すものでは、上記ガイドプレート１０の綴孔形成部１４に綴孔１３を２０個設けたものであり、綴具２１が２０個のリングによって形成されているバインダー２０用として有効に使用できるものである。
上記には綴孔を２個及び２０個設けたものについて述べたが、この綴孔１３はバインダーの綴具のリングの個数に合わせて、４個、６個、８個、９個、２６個、２９個、３０個その他適宜の個数を綴孔形成部１４に形成するようにすることができる。
【００２５】
上記折畳んだ用紙の綴穴用区帯２８に綴穴２７を設けるには、各種のパンチャーによってパンチ孔を設けるようにするとよい。
また、場合によっては、予め用紙１１に、バインダーの綴具２１のリング個数に合致する綴穴２７を設けたものを用意しておき、これを使用するようにすると便利である。
【符号の説明】
【００２６】
１    平板（後板）
２    平板（前板）
３    底辺
４    一側辺
５，６    上辺
７，８    他側辺
１０    ガイドプレート
１１    用紙
１３    綴孔
１４    綴孔形成部
２０    バインダー
２１    綴具
２２    綴込用紙
２４，２７    綴穴
２５、２８    綴穴用区帯
【図１】
2015208901.tif 000003
【図２】
2015208901.tif 000004
【図３】
2015208901.tif 000005
【図４】
2015208901.tif 000006
【図５】
2015208901.tif 000007
【図６】
2015208901.tif 000008
【図７】
2015208901.tif 000009
【図８】
2015208901.tif 000010
【図９】
2015208901.tif 000011